(57)【要約】【課題】軽量化のためにフェイスシェルを薄肉化したとしても、目地材の施工状態を良好に保つことができるとともに、必要な接着強度を確保することができるコンクリートブロックを提供する。【解決手段】水平方向に対向配置される一対のフェイスシェル１１（２１）と、これらフェイスシェル１１（２１）の内側表面同士を接続するウェブ１２（２２）とを備えてなる建築用のコンクリートブロック４（５）において、フェイスシェル１１（２１）の上部に、フェイスシェル１１（２１）の内側表面から突出され、目地モルタル３７を受ける目地材受け面４０（５０）を有する内向き張出部４１（５１）を形成する。【選択図】図３
0003202159.tif 000002
【実用新案登録請求の範囲】
【請求項１】
水平方向に対向配置される一対のフェイスシェルと、これらフェイスシェルの内側表面同士を接続するウェブとを備えてなる建築用のコンクリートブロックにおいて、フェイスシェルの上部に、フェイスシェルの内側表面から突出され、目地材を受ける目地材受け面を有する内向き張出部を形成することを特徴とするコンクリートブロック。
【請求項２】
フェイスシェルにおける内向き張出部を含む上部の厚み寸法を２５〜３０ｍｍにするとともに、フェイスシェルにおける下部から上部手前までの部分の厚み寸法を１２〜１８ｍｍにすることを特徴とする請求項１記載のコンクリートブロック。
【考案の詳細な説明】
【技術分野】
【０００１】
本考案は、例えば、ブロック塀や建物の壁体等の躯体を構築するのに用いられて好適な建築用のコンクリートブロックに関し、特に、フェイスシェルの上下の肉厚が異なるコンクリートブロックに関するものである。
【背景技術】
【０００２】
従来、建築用のコンクリートブロックを用いて構築される、例えば、ブロック塀においては、縦筋と称される鉄筋と横筋と称される鉄筋とが縦横に所定間隔で組み込まれるとともに、上下左右のコンクリートブロックが目地材（目地モルタル）で接合されている（例えば、特許文献１参照。）。
ここで、建築用のコンクリートブロックとしては、縦筋用のコンクリートブロックと横筋用のコンクリートブロックとがある。
【先行技術文献】
【特許文献】
【０００３】
【特許文献１】実用新案登録第３１４３９１８号公報
【０００４】
図４（ａ）に示されるように、縦筋用のコンクリートブロック１０１におけるフェイスシェル１０２及び横筋用のコンクリートブロック１０３におけるフェイスシェル１０４のそれぞれの内側面には、製造時の脱型の容易化等の理由でフェイスシェル１０２，１０４の上下の肉厚に差（２〜３ｍｍ程度）が生じるようなテーパーが付されており、このようにフェイスシェル１０２，１０４の肉厚が上下で異なる場合、水平目地のモルタル塗布と組積の安定性をよくするため、フェイスシェル１０２，１０４の肉厚が大きい方を上にして目地材１０５を介して積むようにしている。
【０００５】
ところで、施工性向上等の理由からコンクリートブロックの軽量化が望まれており、コンクリートブロックの軽量化の方法としては、例えば、（１）形状はそのままで使用材料を重量骨材から軽量骨材に変更するという方法や、（２）フェイスシェルの肉厚を薄くするという方法などが挙げられる。
【０００６】
上記（１）の軽量骨材の使用による軽量化では、次のような問題点がある。
すなわち、軽量骨材は、非造粒型がほとんどで、その特性として多孔質であるとともに連結気泡となっているので吸水率が非常に高い。
このため、軽量骨材の物性（吸水率が高い）によってコンクリートブロック自体の吸水率が高くなり、吸水率が高いコンクリートブロックを屋外で使用すると、内部まで水分が浸透し、鉄筋が発錆して、耐久性のない構造物になる。
【０００７】
上記（２）のフェイスシェルの肉厚を薄くすることによる軽量化では、図４（ａ）に示されるコンクリートブロック１０１，１０３におけるフェイスシェル１０２，１０４の肉厚を薄くした態様例を表わした図４（ｂ）に示されるように、フェイスシェル１０２´，１０４´上の目地材１０５´が組積時に内部にはみ出して落下しやすい状態になり、目地材１０５´の施工状態を良好に保つことができないという問題点がある。
また、このような状態で外部から目地材１０５´の表面を押え込む作業である目地刷りを更に行うと、内部側に押し込まれた目地材１０５´がフェイスシェル１０２´，１０４´上に留まることができずに落下してしまい、目地材１０５´の密度を高めることができず、ブロック相互間の接着強度を十分に確保することができないとう問題点がある。
【考案の概要】
【考案が解決しようとする課題】
【０００８】
本考案は、上記従来のコンクリートブロックの有する問題点に鑑み、軽量化のためにフェイスシェルを薄肉化したとしても、目地材の施工状態を良好に保つことができるとともに、必要な接着強度を確保することができるコンクリートブロックを提供することを目的とする。
【課題を解決するための手段】
【０００９】
上記目的を達成するため、本考案のコンクリートブロックは、水平方向に対向配置される一対のフェイスシェルと、これらフェイスシェルの内側表面同士を接続するウェブとを備えてなる建築用のコンクリートブロックにおいて、フェイスシェルの上部に、フェイスシェルの内側表面から突出され、目地材を受ける目地材受け面を有する内向き張出部を形成することを特徴とする。
【００１０】
この場合において、フェイスシェルにおける内向き張出部を含む上部の厚み寸法を２５〜３０ｍｍにするとともに、フェイスシェルにおける下部から上部手前までの部分の厚み寸法を１２〜１８ｍｍにすることができる。
【考案の効果】
【００１１】
本考案のコンクリートブロックによれば、フェイスシェルの上部に、フェイスシェルの内側表面から突出され、目地材を受ける目地材受け面を有する内向き張出部を形成することによって、組積時にフェイスシェル上から内部側に向かってはみ出そうとする目地材が内向き張出部で受け止められるので、組積時にフェイスシェル上の目地材がはみ出して内部に落下するのを防ぐことができるとともに、外部から目地材の表面を押え込む作業である目地刷りを行っても、内部側に押し込まれた目地材が目地材受け面上に留まって盛上り、押込力が目地材に効果的に作用して、目地材の密度を高めることができる。
したがって、軽量化のためにフェイスシェルを薄肉化したとしても、目地材の施工性を良好に保つことができるとともに、必要な接着強度を確保することができる。
【００１２】
また、フェイスシェルにおける内向き張出部を含む上部の厚み寸法を２５〜３０ｍｍにするとともに、フェイスシェルにおける下部から上部手前までの部分の厚み寸法を１２〜１８ｍｍにすることにより、目地材の施工性を良好に保つことができるとともに、必要な接着強度を確保することができ、加えて大幅な軽量化を達成することができるコンクリートブロックを得ることができる。
【図面の簡単な説明】
【００１３】
【図１】本考案の一実施形態に係るコンクリートブロックを用いて構築されたブロック塀の構造を示す図で、一部を破断して表わす要部斜視図である。
【図２】同コンクリートブロックを示す図で、（ａ）は縦筋用のコンクリートブロックの平面図、（ｂ）は横筋用のコンクリートブロックの平面図である。
【図３】図１のＡ−Ａ線断面図である。
【図４】従来技術の説明図で、（ａ）はフェイスシェルの肉厚が上下で異なる従来のコンクリートブロックの組積状態を示す要部断面図、（ｂ）は薄肉軽量化された従来のコンクリートブロックの組積状態を示す要部断面図である。
【考案を実施するための形態】
【００１４】
次に、本考案のコンクリートブロックの実施の形態を、図面に基づいて説明する。
【００１５】
図１に示されるブロック塀１は、横方向に所定間隔で縦筋２が立設された基礎３上に、所要の縦筋用のコンクリートブロック４及び横筋用のコンクリートブロック５が積み上げられて構成されている。
【００１６】
図２（ａ）に示されるように、縦筋用のコンクリートブロック４は、水平方向に対向配置される矩形板状の一対のフェイスシェル１１と、これらフェイスシェル１１の内側表面同士を接続する複数のウェブ１２とを備え、複数のウェブ１２の間に、上下方向に開放された複数の空洞１３が形成されるとともに、両側（又は片側）に縦溝１４が形成されてなるものである。
【００１７】
図２（ｂ）に示されるように、横筋用のコンクリートブロック５は、水平方向に対向配置される矩形板状の一対のフェイスシェル２１と、これらフェイスシェル２１の内側表面同士を接続する複数のウェブ２２とを備え、複数のウェブ２２の間に、上方が閉鎖される一方で下方に開放された複数の空洞２３が形成されるとともに、両側（又は片側）に縦溝２４が、上側に横溝２５がそれぞれ形成されてなるものである。
【００１８】
図１に示されるように、ブロック塀１においては、隣接する縦筋用のコンクリートブロック４の互いに対向する縦溝１４（図２（ａ）参照）によって縦貫通穴３０が形成され、縦筋２を内包する縦貫通穴３０及び縦筋２を内包していない縦貫通穴３０のいずれにも充填モルタル３１が詰め込まれている。
また、所定段数以内毎に積まれる横筋用のコンクリートブロック５の横溝２５（図２（ｂ）参照）の内部に横筋３５が配され、横筋３５を包み込むように充填モルタル３６が横溝２５の内部に詰め込まれている。
【００１９】
図３に示されるように、縦筋用のコンクリートブロック４におけるフェイスシェル１１の上部には、フェイスシェル１１の内側表面から突出され、目地モルタル（目地材）３７を受ける目地材受け面４０を有する内向き張出部４１が形成されている。
同様に、横筋用のコンクリートブロック５におけるフェイスシェル２１の上部にも、フェイスシェル２１の内側表面から突出され、目地モルタル３７を受ける目地材受け面５０を有する内向き張出部５１が形成されている。
なお、図３においては、説明の都合上、横筋３５や充填モルタル３６は図示省略している。
【００２０】
内向き張出部４１，５１を含むフェイスシェル１１，２１の上部の厚み寸法Ｗ１，Ｗ２は、従来のコンクリートブロックと同様に２５〜３０ｍｍとされ、フェイスシェル１１，２１における下部から上部手前（内向き張出部４１，５１の手前）までの部分の厚み寸法Ｗ３，Ｗ４は、１２〜１８ｍｍとされて従来のコンクリートブロックの４８〜６０％程度の肉厚にされている。
【００２１】
このように、フェイスシェル１１，２１は、上部だけが厚く、その他の部位が薄肉化された形状に形成されており、こうすることによって、目地モルタル３７の施工状態を良好に保ちつつ必要な接着強度を確保し、かつ大幅な軽量化を達成するようにしている。
なお、図２（ａ）及び（ｂ）に示されるように、ウェブ１２，２２の厚み寸法Ｗ５，Ｗ６もフェイスシェル１１，２１の薄肉部分と同様に、１２〜１８ｍｍとされて従来のコンクリートブロックの４８〜６０％程度の肉厚にされ、更なる軽量化を図っている。
【００２２】
コンクリートブロック４，５は、セメントや重量骨材等を用いて公知の製造方法によって製造され、軽量骨材を使用せずに密実なものとして、強度や防水性、耐久性を向上させ、基本的な物理的性質（規格要求内容）をクリアしている。
【００２３】
コンクリートブロック４，５は、上述したように、フェイスシェル１１，２１の上部の厚み寸法Ｗ１，Ｗ２が２５〜３０ｍｍで、フェイスシェル１１，２１の下部を含む薄肉化された部分の厚み寸法Ｗ３，Ｗ４が１２〜１８ｍｍであり、フェイスシェル１１，２１の肉厚が上下で異なるので、水平目地のモルタル塗布と組積の安定性をよくするため、フェイスシェル１１，２１の肉厚が大きい方を上にして目地モルタル３７を介して積むようにしている。
【００２４】
以上に述べたように構成されるコンクリートブロック４，５によれば、フェイスシェル１１，２１の上部に、フェイスシェル１１，２１の内側表面から突出され、目地材を受ける目地材受け面４０，５０を有する内向き張出部４１，５１を形成することによって、組積時にフェイスシェル１１，２１上から内部側に向かってはみ出そうとする目地モルタル３７が内向き張出部４１，５１で受け止められるので、組積時にフェイスシェル１１，２１上の目地モルタル３７がはみ出して内部に落下するのを防ぐことができるとともに、外部から目地モルタル３７の表面を押え込む作業である目地刷りを行っても、内部側に押し込まれた目地モルタル３７が目地材受け面４０，５０上に留まって盛上り、押込力が目地モルタル３７に効果的に作用して、目地モルタル３７の密度を高めることができる。
したがって、軽量化のためにフェイスシェル１１，２１を薄肉化したとしても、目地モルタル３７の施工性を良好に保つことができるとともに、必要な接着強度を確保することができる。
【００２５】
また、フェイスシェル１１，２１における内向き張出部４１，５１を含む上部の厚み寸法Ｗ１，Ｗ２を２５〜３０ｍｍとし、フェイスシェル１１，２１における下部から上部手前までの部分の厚み寸法Ｗ３，Ｗ４を１２〜１８ｍｍにすることにより、目地モルタル３７の施工性を良好に保つことができるとともに、必要な接着強度を確保することができ、加えて大幅な軽量化を達成することができる。
【００２６】
以上、本考案のコンクリートブロックについて、一実施形態に基づいて説明したが、本考案は上記実施形態に記載した構成に限定されるものではなく、その趣旨を逸脱しない範囲において適宜その構成を変更することができるものである。
【産業上の利用可能性】
【００２７】
本考案のコンクリートブロックは、軽量化のためにフェイスシェルを薄肉化したとしても、目地材の施工性を良好に保つことができるとともに、必要な接着強度を確保することができるという特性を有していることから、例えば、ブロック塀や建物の壁体等の躯体を構築する用途に好適に用いることができ、産業上の利用可能性が大である。
【符号の説明】
【００２８】
１  ブロック塀
４，５  コンクリートブロック
１１，２１  フェイスシェル
１２，２２  ウェブ
３７  目地モルタル（目地材）
４０，５０  目地材受け面
４１，５１  内向き張出部
【図１】
0003202159.tif 000003
【図２】
0003202159.tif 000004
【図３】
0003202159.tif 000005
【図４】
0003202159.tif 000006